(57)【特許請求の範囲】
【請求項１】
水中からプランクトンを濾しとるためのプランクトンネットと、該プランクトンネットに着脱可能に設けられて、該プランクトンネットで濾しとったプランクトンを含む水を採集するための採水器とを備えたプランクトン採集装置であって、
前記プランクトンネットと前記採水器との間に、前記プランクトンネット内に混入した前記プランクトンよりも大きい採集対象外物を捕捉する捕捉手段を着脱可能に設け、
前記捕捉手段は、前記プランクトンネット内と前記採水器内との間を連通する連通孔が設けられる本体と、該本体に前記連通孔を塞ぐように着脱可能に設けられるとともに、前記プランクトンよりも大きい採集対象外物は捕捉し、前記プランクトンは通過させることが可能な目合いのフィルタ部材とを備えていることを特徴とするプランクトン採集装置。
【請求項２】
前記フィルタ部材は、前記本体に着脱可能に取り付けられる支持枠と、該支持枠によって周縁部が支持されるとともに、前記プランクトンよりも大きい採集対象外物は捕捉し、前記プランクトンは通過させることが可能な目合いのフィルタとを備えていることを特徴とする請求項１に記載のプランクトン採集装置。
【請求項３】
前記フィルタ部材は、前記本体の連通孔の少なくとも何れか一方の端部の開口を塞ぐように、前記本体に着脱可能に設けられていることを特徴とする請求項２に記載のプランクトン採集装置。
【請求項４】
前記本体は、外部から内部を透視可能な透明又は半透明の材料から形成されていることを特徴とする請求項１〜３の何れか１項に記載のプランクトン採集装置。
【発明の詳細な説明】
【技術分野】
【０００１】
本発明は、プランクトン採集装置に関し、特に、海水等の水中からプランクトンを濾しとって採集するプランクトン採集装置に関する。
【背景技術】
【０００２】
従来、海域等における付着生物の調査、研究等のために、各種のプランクトン採集装置を用いて、海水等の水中からプランクトンを濾しとって採集することが行われている。このようなプランクトンの採集作業には、例えば、織布からなる漏斗状のプランクトンネットと、プランクトンネットに着脱可能に取り付けた採水器とからなるプランクトン採集装置が用いられる。
【０００３】
そして、採集対象のプランクトンに応じた口径、長さ、目合いのプランクトンネットを用い、このプランクトンネットに採水器を取り付けてプラントン採集装置を構成し、このプランクトン採集装置を海水中等に沈めて、ロープを介して所定の曳き方（鉛直曳き、傾斜曳き、水平曳き等）及び速度で曳くことにより、海水等の水中から採集対象のプランクトンを濾しとり、凝縮した状態で採水器内に採集することができる（例えば、特許文献１、非特許文献１参照。）。
【先行技術文献】
【非特許文献】
【０００４】
【非特許文献１】株式会社  離合社ホームページ、プランクトンネットカタログ（ｈｔｔｐ：／／ａｔ２．ｔａｃｔｎｅｔ．ｃｏ．ｊｐ／ｒｉｇｏ／ｄｌｄａｔａ／８ＰｌａｎｋｔｏｎＮｅｔ．ｐｄｆ）
【特許文献】
【０００５】
【特許文献１】特開２００９−２４０２７４号公報
【発明の概要】
【発明が解決しようとする課題】
【０００６】
ところで、上記のような構成のプランクトン採集装置にあっては、海水等の水中に沈めて曳いた際に、プランクトンネット内に採集対象のプランクトンよりも大きいクラゲ等の採集対象外物が混入し、この採集対象外物がプランクトンネットから採水器内に入り込んで詰まることがあり、その場合、採水器内にプランクトンを採集することが困難になる。
【０００７】
このため、プランクトン採集装置を海水等の水中から引き上げ、プランクトンネットから採水器を取り外し、採水器内に詰まったクラゲ等の採集対象外物を取り除いた後に、採水器をプランクトンネットに取り付け、再びプランクトン採集装置を海水等の水中に沈めて、プランクトンの採集作用を行なわなければならず、プランクトンの採集効率が非常に悪くなる。
【０００８】
本発明は、上記のような従来の問題に鑑みなされたものであって、採水器内に採集対象のプランクトンよりも大きいクラゲ等の採集対象外物が入り込んで詰まるようなことはなく、採水器内にプランクトンを効率よく採集することができるプランクトン採集装置を提供することを目的とする。
【課題を解決するための手段】
【０００９】
上記のような課題を解決するために、本発明は、以下のような手段を採用している。
すなわち、本発明は、水中からプランクトンを濾しとるためのプランクトンネットと、該プランクトンネットに着脱可能に設けられて、該プランクトンネットで濾しとったプランクトンを含む水を採集するための採水器とを備えたプランクトン採集装置であって、前記プランクトンネットと前記採水器との間に、前記プランクトンネット内に混入した前記プランクトンよりも大きい採集対象外物を捕捉する捕捉手段を着脱可能に設け、前記捕捉手段は、前記プランクトンネット内と前記採水器内との間を連通する連通孔が設けられる本体と、該本体に前記連通孔を塞ぐように着脱可能に設けられるとともに、前記プランクトンよりも大きい採集対象外物は捕捉し、前記プランクトンは通過させることが可能な目合いのフィルタ部材とを備えていることを特徴とする。
【００１０】
本発明のプランクトン採集装置によれば、プランクトンネットで濾しとったプランクトンを採水器内に採集する場合、プランクトンネット内に混入したプランクトンよりも大きい採集対象外物を捕捉手段で捕捉できる。従って、採集対象外物がプランクトンネットから採水器内に入り込んで詰まるようなことはないので、採水器内にプランクトンを効率良く採集することができる。
【００１２】
また、本体の連通孔を塞ぐように設けられたフィルタ部材により、プランクトンよりも大きい採集対象外物を捕捉することができる。従って、プランクトンネット内に混入したプランクトンよりも大きい採集対象外物がプランクトンネットから採水器内に入り込んで詰まるようなことはないので、採水器内にプランクトンを効率よく採集することができる。また、本体をプランクトンネットから取り外すことにより、フィルタ部材で回収した採集対象外物を容易に回収することができる。
【００１３】
さらに、本発明において、前記フィルタ部材は、前記本体に着脱可能に取り付けられる支持枠と、該支持枠によって周縁部が支持されるとともに、前記プランクトンよりも大きい採集対象外物は捕捉し、前記プランクトンは通過させることが可能な目合いのフィルタとを備えていることとしてもよい。
【００１４】
本発明のプランクトン採集装置によれば、フィルタ部材のフィルタにより、プランクトンネット内に混入したプランクトンよりも大きい採集対象外物を捕捉することができる。従って、採集対象外物が採水器内に入り込んで詰まるのを防止できるので、採水器内にプランクトンを効率よく採集することができる。さらに、フィルタ部材は、支持枠とフィルタとからなる簡単な構造のものであり、しかも、本体に着脱可能に取り付けられているので、フィルタが破損等した際のフィルタ部材の交換作業を容易に行うことができる。
【００１５】
さらに、本発明において、前記フィルタ部材は、前記本体の連通孔の少なくとも何れか一方の端部の開口を塞ぐように、前記本体に着脱可能に設けられていることとしてもよい。
【００１６】
本発明のプランクトン採集装置によれば、本体の連通孔の少なくとも何れか一方の開口を塞ぐように設けられるフィルタ部材により、プランクトンネット内に混入したプランクトンよりも大きい採集対象外物を捕捉することができる。従って、採集対象外物が採水器内に入り込んで詰まるようなことはなく、採水器内にプランクトンを効率よく採集することができる。
【００１７】
さらに、本発明において、前記本体は、外部から内部を透視可能な透明又は半透明の材料から形成されていることとしてもよい。
【００１８】
本発明のプランクトン採集装置によれば、本体の外部から内部を透視することができるので、本体をプランクトンネットから取り外すことなく、本体の内部の状態を外部から目視によって確認することができる。
【発明の効果】
【００１９】
以上説明したように、本発明のプランクトン採集装置によれば、プランクトンネット内に混入したプランクトンよりも大きい採集対象外物を捕捉手段で捕捉することができる。従って、採集対象外物が採水器内に入り込んで詰まり、採水器内にプランクトンを採集することが困難になるようなことはないので、採水器内にプランクトンを効率良く採集することができる
【図面の簡単な説明】
【００２０】
【図１】本発明によるプランクトン採集装置の一実施の形態の全体を示した概略図である。
【図２】図１の部分拡大図である。
【発明を実施するための形態】
【００２１】
以下、図面を参照しながら本発明の実施の形態について説明する。
図１及び図２には、本発明によるプランクトン採集装置の一実施の形態が示されている。本実施の形態のプランクトン採集装置１は、海域等における付着生物の調査、研究等のために、海水等の水中から採集対象のプランクトンを濾しとって採集するのに適用される。
【００２２】
本実施の形態のプランクトン採集装置１は、プランクトンネット２と、プランクトンネット２に着脱可能に取り付けられる捕捉手段１０と、捕捉手段１０に着脱可能に取り付けられる採水器２１とを備えている。
【００２３】
プランクトンネット２は、織布から形成される上下端が開口した漏斗状をなすものであって、上端開口部に環状の枠３が一体に設けられ、下端開口部に筒状の取付部５が一体に設けられ、この取付部５に捕捉手段１０が着脱可能に取り付けられる。
【００２４】
プランクトンネット２には、北太平洋標準ネット、北原式定量ネット、北原式表層ネット、丸川式中層ネット等の規格品のプランクトンネットや、規格外の各種のプランクトンネットがあり、これらの中から採集対象のプランクトンに応じた口径、長さ、目合いのものを選択して用いる。
【００２５】
取付部５は、上下方向の貫通孔６を有する筒状をなすものであって、上端がプランクトンネット２の下端に一体に固定され、下端の外周面側に雄ねじ部７が設けられ、この雌ねじ部７を介して取付部５の下端に捕捉手段１０が着脱可能に取り付けられる。
【００２６】
捕捉手段１０は、上下方向の貫通孔１２を有する筒状の本体１１と、本体１１の下端に貫通孔１２の下端開口部を閉塞するように着脱可能に取り付けられるフィルタ部材１５とを備えている。
【００２７】
本体１１は、合成樹脂又は金属から形成され、本体１１をアクリル樹脂等の透明又は半透明の合成樹脂で形成することにより、本体１１の外部から内部を透視することができ、本体１１の内部の状態を外部から目視して確認することができる。
【００２８】
本体１１の上端の内周面側及び下端の内周面側には、それぞれ雌ねじ部１３、１４が設けられ、上端の雌ねじ部１３を介して本体１１の上端が取付部５の下端に着脱可能に取り付けられ、下端の雌ねじ部１３を介して本体１１の下端にフィルタ部材１５が着脱可能に取り付けられる。
【００２９】
フィルタ部材１５は、上下方向の貫通孔１７を有する筒状のフィルタ支持枠１６と、フィルタ支持枠１６の長手方向の中央部に貫通孔１７を閉塞するように設けられる織布からなるシート状のフィルタ２０とから構成されている。
【００３０】
フィルタ支持枠１６の上端の外周面側及び下端の外周面側には、それぞれ雄ねじ部１８、１９が設けられ、上端の雄ねじ部１８を本体１１の下端の雌ねじ部１４に螺合させて締め付けることにより、本体１１の下端にフィルタ部材１５が着脱可能に取り付けられる。
【００３１】
フィルタ２０には、捕捉対象に応じた目合いのものが用いられる。本実施の形態においては、採集対象のプランクトンは通過させるが、プランクトンよりも大きいクラゲ等の生物、植物、塵等の採集対象外物は通過させない目合いのものが用いられる。このフィルタ２０により、プランクトンネット２内に混入した上記の採集対象外物を捕捉することができ、採集対象外物が採水器２１内に入り込むのを防止できる。
【００３２】
フィルタ支持枠１６は、合成樹脂製又金属製であって、フィルタ支持枠１６を合成樹脂で形成する場合には、フィルタ支持枠１６とフィルタ２０とを一体に成形することにより、フィルタ支持枠１６の長手方向の中央部でフィルタ２０の周縁部を固定する。また、フィルタ支持枠１６を金属で形成する場合には、フィルタ支持枠１６を長手方向に２つに分割し、分割部分間にフィルタ２０を介装させて、両分割部分間をねじで締結することにより、両分割部分間でフィルタ２０の周縁部を固定する。
【００３３】
なお、フィルタ部材１５は、本体１１の上端に着脱可能に取り付けてもよいし、本体の長手方向の中央部に着脱可能に取り付けるように構成してもよい。本体１１の長手方向の中央部に着脱可能に取り付ける場合には、本体１１を長手方向に２つに分割し、両分割部分間にフィルタ部材１５を介装させ、両分割部分間をねじにより締結すればよい。
【００３４】
採水器２１は、アクリル等の樹脂や強化ガラス等の透明又は半透明の材料から形成される下端が縮径された筒状のケーシング２２と、ケーシング２２の縮径された下端部に設けられる流出孔２４と、流出孔２４を開閉するコック２５とから構成され、ケーシング２２内にプランクトンネット２で濾しとったプランクトンが凝縮された状態で採集される。ケーシング２２を透明又は半透明の材料で形成することにより、ケーシング２２内に採集したプランクトンの状態をケーシング２２外から目視して確認することができる。
【００３５】
ケーシング２２の上端の内周面側には雌ねじ部２３が設けられ、この雌ねじ部２３に捕捉手段１０のフィルタ部材１５のフィルタ支持枠１６の下端の雄ねじ部１９を螺合させて締め付けることにより、捕捉手段１０の本体１１の下端にフィルタ部材１５を介して採水器２１を着脱可能に取り付けることができる。
【００３６】
そして、上記のように構成したプランクトン採集装置１を海水等の水中に沈めて、ロープ４を介して船曳きや手曳きによって所定の曳き方（鉛直曳き、傾斜曳き、水平曳き等）及び速度で曳くことにより、海水等の水中から採集対象のプランクトンをプランクトンネット２で濾しとり、凝縮した状態で採水器２１のケーシング２２内に採集することができる。
【００３７】
この場合、プランクトンネット２内に、採集対象のプランクトンよりも大きいクラゲ等の生物、植物、塵等の採集対象外物が混入することがあるが、これらの採集対象外物は、プランクトンネット２の下端に取り付けられている捕捉手段１０のフィルタ部材１５のフィルタ２０で捕捉され、本体１１内に収容されることになるので、これらの採集対象外物が捕捉手段１０のフィルタ２０を通過して採水器２１側に入り込むことはない。
【００３８】
従って、採集対象外物が採水器２１のケーシング２２内に詰まることがないので、採水器２１のケーシング２２内に詰まった採集対象外物を取り除くために、プランクトン採集装置１を引き上げて、プランクトンネット２から採水器２１を取り外し、ケーシング２２内に詰まった採集対象外物を取り除いた後に、採水器２１をプランクトンネット２に取り付け、再び海水中等に沈めて曳くような煩雑な作業が不要となり、採水器２１のケーシング２２内に採集対象のプランクトンを効率良く採集することができる。
【００３９】
また、捕捉手段１０のフィルタ部材１５は、本体１１の下端に雌ねじ部１４及び雄ねじ部１８を介して着脱可能に取り付けられるとともに、捕捉手段１０の本体１１は、プランクトンネット２の下端の取付部５の下端に雄ねじ部７及び雌ねじ部１３を介して着脱可能に取り付けられる構造となっているので、捕捉手段１０のプランクトンネット２の取付部５への着脱を容易に行うことができ、フィルタ部材１５のフィルタ２０で捕捉して、本体１１内に収容したクラゲ等の採集対象外物の回収作業を容易に行うことができる。
【００４０】
さらに、捕捉手段１０の本体１１を透明又は半透明の材料で形成した場合には、本体１１の外部から内部を透視できるので、本体１１の内部の状態を外部から目視して確認することができ、捕捉手段１０のメンテナンスを容易に行うことができる。
【００４１】
さらに、フィルタ部材１５は、フィルタ支持枠１６とフィルタ２０とからなる簡単な構成のものであり、しかも、本体１１の下端に雌ねじ部１４及び雄ねじ部１８を介して着脱可能に取り付けられているので、フィルタ２０が破損等した場合に、フィルタ部材１５を新品のものと交換する作業を容易に行うことができる。
【００４２】
なお、前記の説明においては、プランクトンネット２の下端の取付部５に、捕捉手段１０の本体１１及びフィルタ部材１５をねじ（雄ねじ部７、雌ねじ部１３）により着脱自在に取り付け、捕捉手段１０のフィルタ部材１５に採水器２１のケーシング２２をねじ（雄ねじ部１９、雌ねじ部２３）により着脱可能に取り付けたが、取付部５と捕捉手段１０の本体１１とを相互に嵌合させ、捕捉手段のフィルタ部材１５と採水器１２のケーシング２２とを相互に嵌合させ、それらの嵌合部をバンド等で締め付けることにより、プランクトンネット２の下端の取付部５に捕捉手段１０を着脱可能に取り付け、捕捉手段１０に採水器２１を着脱可能に取り付けるように構成してもよい。
【００４３】
また、前記の説明においては、捕捉手段１０を本体１１とフィルタ部材１５とによって構成したが、捕捉手段１０をフィルタ部材１５のみによって構成し、フィルタ部材１５を取付部５に直接に取り付けるように構成してもよい。この場合には、フィルタ部材１５のフィルタ支持枠１６の長さを長くすることにより、フィルタ支持枠１６の内側に採集対象外物を収容することができる。
【符号の説明】
【００４４】
１  プランクトン採集装置
２  プランクトンネット
３  枠
４  ロープ
５  取付部
６  貫通孔
７  雄ねじ部
１０  捕捉手段
１１  本体
１２  貫通孔
１３  雌ねじ部
１４  雌ねじ部
１５  フィルタ部材
１６  フィルタ支持枠
１７  貫通孔
１８  雄ねじ部
１９  雄ねじ部
２０  フィルタ
２１  採水器
２２  ケーシング
２３  雌ねじ部
２４  流出孔
２５  コック
【図１】
0005547051.tif 000002
【図２】
0005547051.tif 000003